【手続補正書】
【提出日】平成23年11月18日(2011.11.18)
【手続補正１】
【補正対象書類名】明細書
【補正対象項目名】０００１
【補正方法】変更
【補正の内容】
【０００１】
本発明は、発光部と該発光部より投光された光を反射するリフレクタとを有するフラッシュを備えた撮像装置、撮影方法、及びそのプログラムに関する。
【手続補正２】
【補正対象書類名】明細書
【補正対象項目名】０００６
【補正方法】変更
【補正の内容】
【０００６】
上記課題を解決する為、請求項１に記載の発明は、光を投光する発光部と、該発光部より投光された光を反射するリフレクタと、を有するフラッシュと、被写体を撮像して撮影画像を取得する撮像部と、前記撮像部に、被写体へ前記光を投光した撮影画像を取得させるように、前記フラッシュと共に前記撮像部を制御する制御部と、を備え、前記リフレクタは、反射する光の光量を調整する光量調整手段を備え、前記制御部は、前記被写体へ前記光を投光した撮影画像を取得する際に、前記光の光量を調整させるように、前記光量調整手段を制御することを特徴とする、撮像装置とした。
請求項２に記載の発明は、前記光量調整手段は、前記発光部より投光される光を反射する反射率を調整することにより、光量を調整することを特徴とする、請求項１に記載の撮像装置とした。
請求項３に記載の発明は、前記光量調整手段は、前記発光部より投光される光を反射する方向を変化することにより、光量を調整することを特徴とする、請求項１に記載の撮像装置とした。
請求項４に記載の発明は、前記被写体との距離を測定する測距手段を備え、前記制御手段は、前記測距手段で測定した距離に基づき、前記距離が近い場合よりも遠い場合に、前記光の光量を低減させるように、前記光量調整手段を制御することを特徴とする、請求項１乃至請求項３の内の何れか１項に記載の撮像装置とした。
請求項５に記載の発明は、前記制御手段は、前記撮像部が取得する撮影範囲内の前記光の光量を部分的に調整させるように、前記光量調整手段を制御することを特徴とする、請求項１乃至請求項３の内の何れか１項に記載の撮像装置とした。
請求項６に記載の発明は、所定の被写体を検出する所定被写体検出手段を備え、前記制御手段は、前記所定被写体検出手段で検出した所定の被写体以外への前記光の光量を低減させるように、前記光量調整手段を制御することを特徴とする、請求項５に記載の撮像装置とした。
請求項７に記載の発明は、前記撮像部の取得する撮影画像の輝度分布を検出する輝度分布検出手段を備え、前記制御手段は、前記輝度分布検出手段で検出した輝度分布に基づき、高輝度部分への光の光量を低減させるように、前記光量調整手段を制御することを特徴とする、請求項５に記載の撮像装置とした。
請求項８に記載の発明は、前記光量調整手段は、空間光変調素子であることを特徴とする、請求項５乃至請求項７の内の何れか１項に記載の撮像装置とした。
請求項９に記載の発明は、光を投光する発光部と、該発光部より投光された光を反射するリフレクタと、を有するフラッシュと、被写体を撮像して撮影画像を取得する撮像部と、前記撮像部に、被写体へ前記光を投光した撮影画像を取得させるように、前記フラッシュと共に前記撮像部を制御する制御部と、を備え、前記リフレクタは、反射する光の光量を調整する光量調整手段を備えた撮像装置の撮影方法であって、前記被写体へ前記光を投光した撮影画像を取得する際に、前記撮像部が、前記光の光量を調整させるように、前記光量調整手段を制御する制御工程を備えることを特徴とする、撮影方法とした。
請求項１０に記載の発明は、光を投光する発光部と、該発光部より投光された光を反射するリフレクタと、を有するフラッシュと、被写体を撮像して撮影画像を取得する撮像部と、前記撮像部に、被写体へ前記光を投光した撮影画像を取得させるように、前記フラッシュと共に前記撮像部を制御する制御部と、を備え、前記リフレクタは、反射する光の光量を調整する光量調整手段を備えた撮像装置のコンピュータで実行されるプログラムであって、前記コンピュータに、前記被写体へ前記光を投光した撮影画像を取得する際に、前記撮像部が、前記光の光量を調整させるように、前記光量調整手段を制御する制御機能を実現させるためのプログラムとした。
【手続補正３】
【補正対象書類名】特許請求の範囲
【補正対象項目名】全文
【補正方法】変更
【補正の内容】
【特許請求の範囲】
【請求項１】
光を投光する発光部と、該発光部より投光された光を反射するリフレクタと、を有するフラッシュと、
被写体を撮像して撮影画像を取得する撮像部と、
前記撮像部に、被写体へ前記光を投光した撮影画像を取得させるように、前記フラッシュと共に前記撮像部を制御する制御部と、
を備え、
前記リフレクタは、反射する光の光量を調整する光量調整手段を備え、
前記制御部は、前記被写体へ前記光を投光した撮影画像を取得する際に、前記光の光量を調整させるように、前記光量調整手段を制御する
ことを特徴とする、撮像装置。
【請求項２】
前記光量調整手段は、前記発光部より投光される光を反射する反射率を調整することにより、光量を調整する
ことを特徴とする、請求項１に記載の撮像装置。
【請求項３】
前記光量調整手段は、前記発光部より投光される光を反射する方向を変化することにより、光量を調整する
ことを特徴とする、請求項１に記載の撮像装置。
【請求項４】
前記被写体との距離を測定する測距手段を備え、
前記制御手段は、前記測距手段で測定した距離に基づき、前記距離が近い場合よりも遠い場合に、前記光の光量を低減させるように、前記光量調整手段を制御する
ことを特徴とする、請求項１乃至請求項３の内の何れか１項に記載の撮像装置。
【請求項５】
前記制御手段は、前記撮像部が取得する撮影範囲内の前記光の光量を部分的に調整させるように、前記光量調整手段を制御する
ことを特徴とする、請求項１乃至請求項３の内の何れか１項に記載の撮像装置。
【請求項６】
所定の被写体を検出する所定被写体検出手段を備え、
前記制御手段は、前記所定被写体検出手段で検出した所定の被写体以外への前記光の光量を低減させるように、前記光量調整手段を制御する
ことを特徴とする、請求項５に記載の撮像装置。
【請求項７】
前記撮像部の取得する撮影画像の輝度分布を検出する輝度分布検出手段を備え、
前記制御手段は、前記輝度分布検出手段で検出した輝度分布に基づき、高輝度部分への光の光量を低減させるように、前記光量調整手段を制御する
ことを特徴とする、請求項５に記載の撮像装置。
【請求項８】
前記光量調整手段は、空間光変調素子である
ことを特徴とする、請求項５乃至請求項７の内の何れか１項に記載の撮像装置。
【請求項９】
光を投光する発光部と、該発光部より投光された光を反射するリフレクタと、を有するフラッシュと、被写体を撮像して撮影画像を取得する撮像部と、前記撮像部に、被写体へ前記光を投光した撮影画像を取得させるように、前記フラッシュと共に前記撮像部を制御する制御部と、を備え、前記リフレクタは、反射する光の光量を調整する光量調整手段を備えた撮像装置の撮影方法であって、
前記被写体へ前記光を投光した撮影画像を取得する際に、前記撮像部が、前記光の光量を調整させるように、前記光量調整手段を制御する制御工程
を備える
ことを特徴とする、撮影方法。
【請求項１０】
光を投光する発光部と、該発光部より投光された光を反射するリフレクタと、を有するフラッシュと、被写体を撮像して撮影画像を取得する撮像部と、前記撮像部に、被写体へ前記光を投光した撮影画像を取得させるように、前記フラッシュと共に前記撮像部を制御する制御部と、を備え、前記リフレクタは、反射する光の光量を調整する光量調整手段を備えた撮像装置のコンピュータで実行されるプログラムであって、
前記コンピュータに、
前記被写体へ前記光を投光した撮影画像を取得する際に、前記撮像部が、前記光の光量を調整させるように、前記光量調整手段を制御する制御機能
を実現させるためのプログラム。